(57)【要約】  【課題】カードロック時にメモリーカードの抜けを防止し、カード取出し時にメモリーカードの飛び出しを防止する。  【解決手段】戻しバネ１５でカード排出方向に付勢したスライダ１７にハーフロックバネ１８を取り付けると共に、メモリーカード３の凹部５に係合する係合凸部２０を設ける。ハウジング１０内壁面には、カード取出し時に戻しバネ１５によりメモリーカード３が飛び出すのを防止する傾斜リブ２２と、カードロック時にメモリーカード３が抜けるのを止めるバネ押さえリブ２４を設ける。【選択図】  図６
2006100210.tif 000002
【特許請求の範囲】
【請求項１】
ハウジングにシールドプレートを被着して成るケーシングと、該ケーシング内にスライド自在に設けたスライダと、該スライダをカード排出方向に付勢する戻しバネと、該スライダに取り付けられ、且つ、係合凸部を有するハーフロックバネとを備え、メモリーカードの一側面の凹部に前記ハーフロックバネの係合凸部が係合してハーフロックするようにしたメモリーカード用コネクタに於いて、
前記ケーシングの内壁側に、カード挿入方向へいくに伴い前記ハーフロックバネから離反する側に傾斜する傾斜面を有するカード飛び出し防止用の傾斜リブを設け、カード取出し時に、該傾斜リブが前記ハーフロックバネに当接することにより該ハーフロックバネの撓み変形を抑制して、上記戻しバネにより前記メモリーカードの飛び出しを防止するように構成したことを特徴とするメモリーカード用コネクタ。
【請求項２】
上記カード飛び出し防止用傾斜リブはカード抜け止め用バネ押さえリブと相互に一体に形成されていることを特徴とする請求項１記載のメモリーカード用コネクタ。
【請求項３】
ハウジングにシールドプレートを被着して成るケーシングと、該ケーシング内にスライド自在に設けたスライダと、該スライダをカード排出方向に付勢する戻しバネと、該スライダに取り付けられ、且つ、係合凸部を有するハーフロックバネとを備え、メモリーカードの一側面の凹部に前記ハーフロックバネの係合凸部が係合してハーフロックするようにしたメモリーカード用コネクタに於いて、
前記ケーシングの内壁側に、カードロック時に、前記ハーフロックバネの撓み変形を抑制するカード抜け止め用のバネ押さえリブを設け、該バネ押さえリブにより前記ハーフロックバネの撓み変形を抑制して、該ハーフロックバネとメモリーカードとの係合力を強めて該メモリーカードの抜け止めを行うように構成したことを特徴とするメモリーカード用コネクタ。
【請求項４】
上記カード抜け止め用バネ押さえリブはカード飛び出し防止用傾斜リブと相互に一体に形成されていることを特徴とする請求項３記載のメモリーカード用コネクタ。
【請求項５】
上記シールドプレ−トに、カード取出し時に、上記メモリーカードの他側面に設けた切欠凹部と係合する係合突部を形成したことを特徴とする請求項１，２，３又は４記載のメモリーカード用コネクタ。
【請求項６】
上記ハーフロックバネに、上記飛び出し防止用傾斜リブ及び上記カード抜け止め用バネ押さえリブに沿って摺動するガイド部を設けたことを特徴とする請求項２，４又は５記載のメモリーカード用コネクタ。
【発明の詳細な説明】
【技術分野】
【０００１】
本発明はメモリーカード用コネクタに関するものであり、特に、メモリーカードをハーフロック状態で保持するハーフロック機構を備えたメモリーカード用コネクタに関するものである。
【背景技術】
【０００２】
従来、此種メモリーカード用コネクタとしては、ケーシングの内側に前進退出自在に取り付けられたスライダと、該スライダに取り付けられたハーフロックバネとを有し、該ハーフロックバネの端部に係合凸部を形成したものが知られている。前記ケーシング内にメモリーカードを挿入すると、メモリーカードの側面に設けられた凹部に前記ハーフロックバネの係合凸部が係合して、メモリーカードがハーフロック状態で保持される。
【０００３】
このハーフロック状態において前記メモリーカードを押すと、スライダが戻しバネの付勢力に抗して前進位置まで移動する。この場合、ケーシングに取り付けられたピンが、スライダに設けられたカム溝の往路に沿って移動する。そして、該ピンがカム凸部に係止されてスライダが前進位置にてロックされ、メモリーカードを読み書き可能な状態に位置決め固定される。
【０００４】
前記メモリーカードを取り出す場合は、メモリーカードを更に押圧すれば良い。すると、前記スライダが一旦前進して、前記ピンがカム凸部からカム溝の往路端部に移動してロックされる。この後、メモリーカードの押圧を解除すると、戻しバネの付勢力によりスライダが手前側へ押し戻され、前記ピンがカム溝の復路に沿ってその端部まで移動し、スライダは後退位置まで移動する。
【０００５】
このとき、ハーフロックバネの係合凸部がメモリーカードの凹部に横方向から係合し、メモリーカードをハーフロックして飛び出さないようにしている。そして、スライダが後退位置に到達した後に、メモリーカードを引っ張ると、前記ハーフロックバネの係合凸部がメモリーカードの凹部から離脱して、該メモリーカードがコネクタから手前に引き抜かれる。
【０００６】
このように、前記メモリーカード用コネクタは、所謂ハートカム機構及び戻しバネ等を利用した構成により、プッシュイン・プッシュアウト方式にてメモリーカードのセット位置への挿入、及び該セット位置からの引き抜きを段階的に行えるように構成されている（特許文献１）。
【特許文献１】特開平１１−１３５１９２号公報
【発明の開示】
【発明が解決しようとする課題】
【０００７】
特許文献１記載の発明は、スライダの側面に沿ってハーフロックバネが配置され、該ハーフロックバネの係合凸部がメモリーカード側面の凹部に係合して、これをハーフロック状態に保持するように形成されている。従って、スライダが前後移動するときに、メモリーカードはハーフロック状態に保持されるが、カード取出し時に、戻しバネの付勢力が強い場合、メモリーカードがコネクタから急に飛び出すという不具合があった。
【０００８】
又、メモリーカードの移動時に、メモリーカードとの係合部から反力を受けてハーフロックバネが横方向へ撓み変形するが、この撓み変形を抑止する手段は何もない構成になっっているので、作動途中でのバネ力の調整は行えない。ここで、ハーフロックバネの押圧
力を強く設定すれば、コネクタからのメモリーカードの飛び出しを防止しうる。しかし、この場合はハーフロックバネの押圧力が強すぎると、メモリーカードの挿入及び排出を円滑に行えないという問題がある。
【０００９】
更に、メモリーカードの飛び出しを防止するために、スライダの戻しバネの付勢力を弱く設定することも可能である。しかし、前記戻しバネの付勢力を弱くしすぎると、メモリーカードをコネクタから排出するために必要な復帰力（ストローク）を確保できない虞がある。
【００１０】
そこで、カード取出し時にメモリーカードの飛び出しを防止し、且つ、カードロック時にメモリーカードの抜け止めを確実に行うために解決すべき技術的課題が生じてくるのであり、本発明は該課題を解決することを目的とする。
【課題を解決するための手段】
【００１１】
本発明は上記目的を達成するために提案されたものであり、請求項１記載の発明は、ハウジングにシールドプレートを被着して成るケーシングと、該ケーシング内にスライド自在に設けたスライダと、該スライダをカード排出方向に付勢する戻しバネと、該スライダに取り付けられ、且つ、係合凸部を有するハーフロックバネとを備え、メモリーカードの一側面の凹部に前記ハーフロックバネの係合凸部が係合してハーフロックするようにしたメモリーカード用コネクタに於いて、前記ケーシングの内壁側に、カード挿入方向へいくに伴い前記ハーフロックバネから離反する側に傾斜する傾斜面を有するカード飛び出し防止用の傾斜リブを設け、カード取出し時に、該傾斜リブが前記ハーフロックバネに当接することにより該ハーフロックバネの撓み変形を抑制して、上記戻しバネにより前記メモリーカードの飛び出しを防止するように構成したメモリーカード用コネクタを提供する。
【００１２】
この構成によれば、前記メモリーカードがケーシング内に挿入されると、ハーフロックバネの係合凸部がメモリーカードの凹部に係合して、ハーフロック状態に保持される。そして、メモリーカードを更に押し込んでロック位置に移動させると、メモリーカードはロック状態に保持される。ロック後、メモリーカードを取り出す時、該メモリーカードがケーシングの開口部に向かって急に飛び出そうとした際は、前記傾斜リブによりハーフロックバネの撓み変形が抑制されることによって、該ハーフロックバネとメモリーカードとの係合力が増大する。
【００１３】
請求項２記載の発明は、上記カード飛び出し防止用傾斜リブはカード抜け止め用バネ押さえリブと相互に一体に形成されている請求項１記載のメモリーカード用コネクタを提供する。
【００１４】
この構成によれば、前記カード飛び出し防止用傾斜リブにカード抜け止め用バネ押さえリブを一体に設けたことにより、傾斜リブの樹脂成型と同時にバネ押さえリブも樹脂成型される。
【００１５】
請求項３記載の発明は、ハウジングにシールドプレートを被着して成るケーシングと、該ケーシング内にスライド自在に設けたスライダと、該スライダをカード排出方向に付勢する戻しバネと、該スライダに取り付けられ、且つ、係合凸部を有するハーフロックバネとを備え、メモリーカードの一側面の凹部に前記ハーフロックバネの係合凸部が係合してハーフロックするようにしたメモリーカード用コネクタに於いて、前記ケーシングの内壁側に、カードロック時に、前記ハーフロックバネの撓み変形を抑制するカード抜け止め用のバネ押さえリブを設け、該バネ押さえリブにより前記ハーフロックバネの撓み変形を抑制して、該ハーフロックバネとメモリーカードとの係合力を強めて該メモリーカードの抜け止めを行うように構成したことを特徴とするメモリーカード用コネクタを提供する。
【００１６】
この構成によれば、前記ハウジング内に挿入されたメモリーカードの凹部に、ハーフロックバネの係合凸部が係合することで、該メモリーカードがハーフロック状態に保持される。そして、メモリーカードを更に押し込んでロック位置に移動させると、メモリーカードはロック状態に保持される。このカードロック時、ハーフロックバネの撓み変形により、ハーフロックバネとメモリーカード間の係合力が弱くなろうとした際は、バネ押さえリブによりハーフロックバネの撓み変形を抑制して、ハーフロックバネとメモリーカードとの係合力を強める。
【００１７】
請求項４記載の発明は、上記カード抜け止め用バネ押さえリブはカード飛び出し防止用傾斜リブと相互に一体に形成されている請求項３記載のメモリーカード用コネクタを提供する。
【００１８】
この構成によれば、上記カード抜け止め用バネ押さえリブにカード飛び出し防止用傾斜リブを一体に設けたことにより、バネ押さえリブの樹脂成型と同時に傾斜リブも樹脂成型される。
【００１９】
請求項５記載の発明は、上記シールドプレ−トに、カード取出し時に、上記メモリーカードの他側面に設けた切欠凹部と係合する係合突部を形成した請求項１，２，３又は４記載のメモリーカード用コネクタを提供する。
【００２０】
この構成によれば、シールドプレ−トの突部がメモリーカードの他側端面の切欠凹部に係合することにより、メモリーカード挿入後のロック時、メモリーカードは幅方向両側から係合保持され、メモリーカードに対するロック力が増大する。
【００２１】
請求項６記載の発明は、上記ハーフロックバネに、上記飛び出し防止用傾斜リブ及びカード抜け止め用バネ押さえリブに沿って摺動するガイド部を設けた請求項２，４又は５記載のメモリーカード用コネクタを提供する。
【００２２】
この構成によれば、メモリーカードをロック又はアンロックする際、ハーフロックバネはガイド部により、傾斜リブ及びバネ押さえリブに沿ってガイドされて移動する。
【発明の効果】
【００２３】
請求項１記載の発明は、ロック状態のメモリーカードを取り出す際に、メモリーカードが開口部に向かって飛び出そうとした場合は、傾斜リブによりハーフロックバネの撓み変形が抑制されることによって、ハーフロックバネとメモリーカード間の係合力が増大するので、カード取出し時、メモリーカードが急に飛び出すことを防止できる。
【００２４】
請求項２記載の発明は、カード抜け止め用のバネ押さえリブを傾斜リブの樹脂成型と同時に樹脂成型できるので、請求項１記載の効果に加えて、バネ押さえリブの製作が容易になると共に、両部材の配置スペースを縮小できる。又、傾斜リブとバネ押さえリブが一体に構成されるので、両部材の強度が増大するメリットを有する。
【００２５】
請求項３記載の発明は、カードロック時、バネ押さえリブによりハーフロックバネの撓み変形を抑制して、ハーフロックバネとメモリーカードとの係合ロック力が増大するので、ロック状態のメモリーカードが不意に抜けることを未然に阻止できる。
【００２６】
請求項４記載の発明は、飛び出し防止用傾斜リブをバネ押さえリブの樹脂成型と同時に樹脂成型できるので、請求項３記載の効果に加えて、傾斜リブの製作が容易になると共に、両部材の配置スペースを縮小できる。又、傾斜リブとバネ押さえリブが一体に構成され
るので、両部材の強度が増大するメリットを有する。
【００２７】
請求項５記載の発明は、メモリーカードに対するロック力が増大するので、請求項１，２，３又は４記載の効果に加えて、ロック状態のメモリーカードが急に飛び出したり、不意に抜けることを一層確実に阻止できる。
【００２８】
請求項６記載の発明は、前記ハーフロックバネが傾斜リブ及びバネ押さえリブに沿ってガイドされて移動するので、請求項２，４又は５記載の効果に加えて、ハーフロックバネの移動が円滑になると共に、メモリーカードの挿入動作及び排出動作もスムーズになり、メモリーカードの挿抜時の出し入れ操作性が向上する。
【発明を実施するための最良の形態】
【００２９】
本発明は、ケーシングの内壁側に、カード挿入方向へいくに伴い前記ハーフロックバネから離反する側に傾斜する傾斜面を有するカード飛び出し防止用の傾斜リブを設け、カード取出し時に、該傾斜リブが前記ハーフロックバネに当接し、更に、ケーシングの内壁側に、カードロック時に、前記ハーフロックバネの撓み変形を抑制するカード抜け止め用のバネ押さえリブを設け、該バネ押さえリブにより前記ハーフロックバネの撓み変形を抑制して、該ハーフロックバネとメモリーカードとの係合力を強めように構成したことにより、カードロック時にメモリーカードの抜けを防止し、カード排出時にメモリーカードの飛び出しを防止するという目的を達成した。
【実施例】
【００３０】
以下、本発明の一実施の形態を図１乃至図１２に従って説明する。図１において、１は偏平箱形のメモリーカード用コネクタで、コネクタ１のケーシング２前面には、メモリーカード３を挿抜するための開口部４が形成されている。前記メモリーカード３は、デジタルカメラや携帯電話等の情報機器に使用されるミニＳＤカード、ｘＤピクチャーカード等である。
【００３１】
前記メモリーカード３の幅方向の一側端面には凹部５が形成されている一方、メモリーカード３の幅方向他側端面には切欠凹部６が形成されている。又、メモリーカード３の挿入方向Ｓ奥側部分には、複数の端子部７が互いに平行に延びて形成されている。
【００３２】
前記ケーシング２は、基板９面に固定される樹脂製のハウジング１０と、該ハウジング１０に被着される金属製のシールドプレ−ト１１とから成る。又、ハウジング１０のカード挿入方向奥側部分には、複数の略Ｌ形接続端子ピン１２が互いに平行に取り付けられ、接続端子ピン１２の奥側端部は上方へ折曲形成され、この折曲端部は、ハウジング１０の端面部に樹脂モールドにより一体に固定されている。
【００３３】
前記接続端子ピン１２は、メモリーカード３の端子部７が接触する露出面部を有している。該露出面部は、シールドプレ−ト１１と同一面内に位置して支持されている。又、前記接続端子ピン１２は、メモリーカード３がロック位置まで前進移動したとき、メモリーカード３の端子部７が前記露出面部と接触して導通する。  
【００３４】
前記シールドプレ−ト１１の側部には、図２に示すように、メモリーカード３の切欠凹部６と横方向から係合する略Ｖ形係合突部１３が設けられている。この係合突部１３は、メモリーカード３がハーフロック位置に移動したとき、メモリーカード３の切欠凹部６に係合し、例えば、カード取出し時には、後述の戻しバネ１５によりメモリーカード３の飛び出しを防止する。
【００３５】
又、ハウジング１０内壁に於ける係合突部１３と対応する箇所には、図３に示すように
、係合突部１３の背面に当接する樹脂製の押さえリブ１６が一体に設けられている。押さえリブ１６は、メモリーカード３が挿抜方向へ移動する際、係合突部１３が外方へ移動することを規制する。カード取出し時に、係合突部１３がメモリーカード３の切欠凹部６に係合することにより、例えば、メモリーカード３が戻しバネ１５の付勢力により飛び出すことを防止する。
【００３６】
前記ハウジング１０の底面部には公知のハートカム機構が設けられ、該ハートカム機構は、スライダ１７の外側摺動部がスライドする外側ガイド溝部と、該スライダ１７の内側摺動部及びハーフロックバネ１８の屈曲部（図略）がスライドする内側ガイド溝部とを有する。又、前記スライダ１７は、戻しバネ１５によりカード排出方向Ｒへ常に付勢されている。
【００３７】
前記スライダ１７の一端部には、図４に示すように、ハーフロックバネ１８の基端部が取り付けられている。該ハーフロックバネ１８は、スライダ１７に固定された板バネ部１９と、該板バネ部１９の先端側に連接された略Ｖ形の係合凸部２０とを備える。又、ハーフロックバネ１８の係合凸部２０は、メモリーカード３がハーフロック位置まで挿入されたとき、メモリーカード３の凹部５に横方向から係合する。
【００３８】
前記ハーフロックバネ１８の板バネ部１９は、その基端部から先端部へ向かに伴い、メモリーカード３側に接近するように、ハウジング１０内壁面に対して斜め方向に延びている。板バネ部１９のバネ力は、メモリーカード３を適度な押圧力で係合保持できるように設定されている。
【００３９】
前記ハウジング１０のハーフロックバネ１８と臨む側の内壁部には、図５に示すように、カード飛び出し防止用の傾斜リブ２２が設けられている。傾斜リブ２２の内側壁面は、図４に示すように、カード挿入方向Ｓにいくに伴い、ハーフロックバネ１８と離反する側へ漸次傾斜している。該傾斜リブ２２は、カード取出し時に、板バネ部１９背面に当接して押圧することにより、板バネ部１９の撓み変形を抑制して板バネ部１９のバネ力を強める。
【００４０】
更に言えば、傾斜リブ２２の平面形状は、カード排出方向Ｒへいくに伴い、幅寸法が次第に大となるよう概略クサビ形に形成され、その最大幅端部には、図５に示すように、中央部がハーフロックバネ１８と反対側へ突出するへ字形屈曲部２３が設けられている。この屈曲部２３により、ハーフロックバネ１８が傾斜リブ２２に接離する際の作動を円滑にする。
【００４１】
又、前記ハウジング１０の内側壁面には、図６に示すように、カード抜け止め用バネ押さえリブ２４が設けられている。バネ押さえリブ２４は傾斜リブ２２よりもカード挿入方向Ｓ奥方側の箇所に形成されている。バネ押さえリブ２４は、カードロック時に、板バネ部１９背面に当接して押圧することにより、ハーフロックバネ１８の撓み変形を抑制して板バネ部１９のバネ力を強める。
【００４２】
このカード抜け止め用バネ押さえリブ２４とカード飛び出し防止用傾斜リブ２２とは、樹脂モールドにより互いに一体に形成されている。本実施例では、図７に示すように、両者は上下段差面をもって形成され、上段部、下段部にそれぞれバネ押さえリブ２４、傾斜リブ２２が設けられている。
【００４３】
図７に示すように、前記ハーフロックバネ１８の板バネ部１９先端部にはＬ形のガイド部２５を設けることができる。この場合、ガイド部２５の外側端面部が上段側のバネ押さえリブ２４の内側端面部に摺接して移動し、ガイド部２５の下面部が下段側の傾斜リブ２
２の上面部に摺接して移動する。このガイド部２５によりハーフロックバネ１８は、バネ押さえリブ２４及び傾斜リブ２２の形状面に沿って、ガタツキを起こすことなく円滑に移動する。
【００４４】
上記構成に於いて、図８に示すように、メモリーカード３をケーシング１０の開口部４内に挿入して、ハーフロック位置まで移動させると、メモリーカード３の凹部５にハーフロックバネ１８の係合凸部２０に進入係合し、メモリーカード３がハーフロック状態に軽く保持される（図９参照）。
【００４５】
このあと、メモリーカード３を前方に押し込めれば、スライダ１７が前方へスライドし、図１０に示すように、カード挿入方向最前端まで一旦達する。その後、スライダ１７が若干後退して、図示しないカム係止部にガイドピンが係合してスライダ１７が停止する。このとき、ハーフロック状態のメモリーカード３は、図１１に示すように、読み書き可能な状態にロックされる。
【００４６】
ロック状態のメモリーカード３をハウジング１０から取り出す場合は、図１２に示すように、ロック解除を行うべく、メモリーカード３を更に前方に押圧すれば良い。すると、スライダ１７が一旦前進してロック解除される。
【００４７】
而して、メモリーカード３の押圧を解除すると、戻しバネ１５の付勢力によって、スライダ１７が後方へ押し戻される。スライダ１７がハーフロック位置まで後退移動すると、メモリーカード３が再びハーフロック状態に保持される（図９参照）。
【００４８】
更に、ハーフロック状態のメモリーカード３を手前に引っ張ると、ハーフロックバネ１８の係合凸部２０がメモリーカード３の凹部５から離脱して、メモリーカード３がケーシング１０の開口部４から引き抜かれる（図８参照）。
【００４９】
ここで、スライダ１７の後退動作時、メモリーカード３がハーフロックバネ１８の係合部２０により押圧されるので、該メモリーカード３が離脱することなくスムースに後退移動する。従って、カード取出し時、ハーフロックバネ１８の係合部２０とメモリーカード３の凹部５との係合力が確実に維持される。このため、戻しバネ１５の付勢力によってメモリーカード３が急に飛び出そうとしても、ハーフロックバネ１８とメモリーカード３との係合力によって、メモリーカード３の飛び出しが抑止される。
【００５０】
本実施例では、ロック状態のメモリーカード３を取り出す際、戻しバネ１５の付勢力により、メモリーカード３が開口部４側に移動するが、従来構造のコネクタであれば、戻しバネ１５の付勢力によりメモリーカード３が急に飛び出すという不具合があったが、本発明ではこのような不具合が防止される。
【００５１】
即ち、カード取出し時、メモリーカード３が傾斜リブ２２付近のハーフロック位置に移動したさい、メモリーカード３の移動に伴い、ハーフロックバネ１８の板バネ部１９がメモリーカード３の凹部５から反力を受けて撓もうとするが、この撓み変形は板バネ部１９背面に当接する傾斜リブ２２により抑止される。そのため、板バネ部１９のバネ荷重が大きくなって、ハーフロックバネ１８の係合凸部２０とメモリーカード３の凹部５との係合力が増大する。斯くして、カード取出し時、戻しバネ１５の付勢力により、メモリーカード３が急に飛び出すことが確実に防止される。
【００５２】
又、カードロック時に、従来構造のコネクタであれば、ハーフロックバネ１８の撓みにより、メモリーカード３に対するロック力が小さくなって、メモリーカード３が不意に抜けるという不具合があったが、本発明ではこのような不具合も防止される。
【００５３】
即ち、カードロック時に、ハーフロックバネ１８の板バネ部１９が撓もうとした場合、この撓み変形は板バネ部１９背面に当接するカード抜け止め用バネ押さえリブ２４により抑止される。そのため、板バネ部１９のバネ荷重が大きくなって、ハーフロックバネ１８の係合凸部２０とメモリーカード３の凹部５との係合力が増大する。斯くして、カードロック時に、ロック状態のメモリーカード３が不意に抜けることが確実に阻止される。
【００５４】
上記構成では、カード飛び出し防止用傾斜リブ２２とカード抜け止め用バネ押さえリブ２４とが連接しているために、両者を樹脂モールドにより一体に形成できる。即ち、両部材は１工程で同時に成型できる。又、傾斜リブ２２と押さえリブ２４とを一体構成されているので、組付けスペースを少なくできると共に、両部材の組付け強度が向上する。
【００５５】
又、前記メモリーカード３の切欠凹部６と係合する係合突部１３をシールドプレ−ト１１に設けたので、カード挿入後のロック時に、メモリーカード３は幅方向両側から挟むように係合保持力が作用する。従って、シールドプレ−ト１１の係合突部２による係合保持力の分だけ、メモリーカード３に対するロック力が増大するので、カード取出し時、ロック状態のメモリーカード３が戻しバネ１５の付勢力により飛び出したり、或いは、ロック解除されたりすることが一層確実に阻止される。
【００５６】
更に又、メモリーカード３のロック時又はアンロック時、ハーフロックバネ１８はガイド部２０により傾斜リブ２２及びバネ押さえリブ２４に沿って円滑に摺動動作する。これに伴い、メモリーカード３の挿入及び排出動作もスムーズになり、カード挿抜の操作性が向上する。
【００５７】
上記実施例では、前記シールドプレ−ト１１と接続端子ピン１２が同一面内に配置されたリバースタイプのメモリーカード用コネクタ１に適用したが、他のタイプのコネクタにも勿論適用できる。
【００５８】
尚、本発明は、本発明の精神を逸脱しない限り種々の改変を為すことができ、そして、本発明が該改変されたものに及ぶことは当然である。
【図面の簡単な説明】
【００５９】
【図１】本発明の一実施の形態を示し、メモリーカード用コネクタを下方から見た斜視図。
【図２】図１のコネクタにメモリーカードがハーフロックされた状態を示す一部断面下面図。
【図３】一実施の形態に係るメモリーカードの切欠凹部の詳細を示す要部断面図。
【図４】一実施の形態に係るハーフロックバネの詳細を示す要部断面図。
【図５】一実施の形態に係るハーフロックバネの先端側部分の詳細を示す斜視図。
【図６】一実施の形態に係るメモリーカード用コネクタのカード押し込み最大時を示す下面図。
【図７】一実施の形態に係る傾斜リブ及びバネ押さえリブの詳細を示す要部斜視図。
【図８】一実施の形態に係るカード挿入前のメモリーカード用コネクタを示す下面図。
【図９】一実施の形態に係るハーフロック状態のメモリーカード用コネクタを示す下面図。
【図１０】一実施の形態に係るカード押し込み最大時のメモリーカード用コネクタを示す下面図。
【図１１】一実施の形態に係るカードロック状態のメモリーカード用コネクタを示す下面図。
【図１２】一実施の形態に係るカード再度押し込み時のメモリーカード用コネクタを示す下面図。
【符号の説明】
【００６０】
１      コネクタ
２      ケーシング
３      メモリーカード
４      開口部
５      凹部
６      切欠凹部
７      端子部
９      基板
１０    ハウジング
１１    シールドプレ−ト
１２    接続端子ピン
１３    係合突部
１５    戻しバネ
１６    押さえリブ
１７    スライダ
１８    ハーフロックバネ
１９    板バネ部
２０    係合凸部
２２    カード飛び出し防止用傾斜リブ
２３    屈曲部
２４    カード抜け止め用バネ押さえリブ
２５    ガイド部
【図１】
2006100210.tif 000003
【図２】
2006100210.tif 000004
【図３】
2006100210.tif 000005
【図４】
2006100210.tif 000006
【図５】
2006100210.tif 000007
【図６】
2006100210.tif 000008
【図７】
2006100210.tif 000009
【図８】
2006100210.tif 000010
【図９】
2006100210.tif 000011
【図１０】
2006100210.tif 000012
【図１１】
2006100210.tif 000013
【図１２】
2006100210.tif 000014